(57)【要約】      （修正有）【課題】流通過程や陳列販売時等においては在来箱体と全く変わらない化粧包装体と成し、お客が持ち帰るに際しては箱体を内側から補強すると同時に外部に引き出すことで把手として利用できる内巻き環状紐体を備えた把手付包装箱を提供する。【解決手段】一枚のブランクシートから略直方体形状に折り上げられる箱体Ａと、この箱体Ａ内の内表面に内巻き固着される固着紐部B-1と、固着されずに外部に引き出し可能に内在される２ヶ所の遊端紐部とを有する環状紐体Ｂとで構成され、お客がケース単位で買い求めて持ち帰るに際して、箱体Ａの四角胴部の一側面中央部位に切込み9-1と破断線9-2とによって破断開口可能に設けた開口部９を開口し、遊端紐部を外部に引き出すことで一対の把手ｂとして箱体Ａを持ち運べるようにした。【選択図】図６
0003109525.tif 000002
【実用新案登録請求の範囲】
【請求項１】
外表面に印刷が施された一枚のブランクシート（ａ）を所要に沿って折り曲げることによって、数十本の缶入り清涼水等の被包装物（Ｗ）が収納包装される大きさの略直方体形状に折り上げられる箱体（Ａ）と、
この箱体（Ａ）の折り曲げ連設する各内表面略全周に平行に沿うように内巻きに固着されると共に、固着されずに外部に引き出し可能に内在される２ヵ所の遊端部分を外部に引き出すことによって、一対の把手（ｂ）として利用される環状紐体（Ｂ）とで構成され、
上記ブランクシート（ａ）は、少なくとも適宜の大きさ及び形状にて並列状に連設されて折り曲げ組み立てられた状態において互いに夫々相対せしめて箱体（Ａ）の四角胴部（A-1）を形成する第１〜第４の側板（１〜４）と、
第１及び第２の側板（１，２）の上下短辺縁に連設されて夫々内方に折り曲げられる外フラップ（５，６）と、
第３及び第４の側板（３，４）の上下短辺縁に連設されて夫々内方に折り曲げられて前記外フラップ（５，６）と夫々重合固着されることで前記胴部（A-1）の両端部（A-2，A-3）を封鎖する内フラップ（７，８）とを有し、
更に、前記第４の側板（４）の中央部位には環状紐体（ｂ）の一対の把手（Ｂ）として利用される２ヶ所の遊端部分を外部に引き出すための開口部（９）を破断開口可能に形成する切込み（9-1）と破断線（9-2）とを設けてなり、
上記環状紐体（Ｂ）は、ブランクシート（ａ）の第３の側板（３）、第１及び第２の側板（１，２）、第４の側板（４）、第１又は第２の側板（１，２）の一側長辺縁に連設されて第４の側板（４）とによって二層壁構造と成すように内方に折り曲げられる第５の側板（14）又はこの側板（14）に代えて前記第４の側板（４）の一側長辺縁に沿って固着される接着フラップ（15）、これらの内表面に沿って平行に固着添設される平行な固着紐部（B-1）と、上記四角胴部（A-1）における前記第４の側板（４）の略中央部位において同内表面側に外部引き出し可能に内在される２ヶ所の遊端紐部（B-2）とから所要の長さを有する環状に形成されていることを特徴とする把手付包装箱。
【請求項２】
請求項１記載の第５の側板（14）は、第４の側板（４）の内表面側に位置して重合固着される内側板と成し、且つ第４の側板（４）に破断可能に形成される開口部（９）に重合位置する略中央部位に窓（17）を開口し、第４の側板（４）との重合によって環状紐体（Ｂ）の２ヶ所の遊端紐部（Ｂ-2）を内在収容させて置くための収容窪み（16）が形成されるようにしていることを特徴とする請求項１又は２記載の把手付包装箱。
【考案の詳細な説明】
【技術分野】
【０００１】
本考案は、缶ビール等のその他の缶入り精飲料水等の被包装物を収納する段ボール紙やその他の厚紙等の紙製材料からなるブランクシートから折り上げ組み立てられ、尚且つケース単位で購入されるお客が持ち運び易いように把手が備えられている把手付包装箱に関する。
【背景技術】
【０００２】
近年、缶ビール等のその他の缶入り精飲料水等の被包装物、例えば350ml入りの缶ビール等は24本入りのケース単位で販売されている傾向が多く見慣れている。
そこで、直方体形状に組み立てられる段ボール製箱体の底面、この底面から直角に折り曲げ連設される一方の両側面に、一本の環状バンドを適宜の間隔をおいて掛け渡すように添設し、前記底面、両側面これらの外表面に接着することによって、前記両側面から箱体の上面方向に向けて適宜延設させた前記環状バンドの遊端バンド部を把手と成し、お客はこの把手にて買い求めたケース単位の缶ビール等を持ち運ぶことができるように構成された把手付包装箱が知られている（特許文献１）。
【０００３】
ところで、この特許文献１記載の把手付包装箱は、ケース単位で購入されたお客は、箱体に備えられている把手を持って持ち運ぶことができることで利便性が良く、一方で販売代理店等においては持ち運び易いように２本のビニール紐を箱体全周に掛け渡し巻き付けると共に夫々の解放端部同士を結び付け、そして夫々縛りつけた２本のビニール紐に別途に用意した樹脂材等からなる把手の両側を引っ掛けて装着するためのサービス手間等を省くことができる利点がある。
【０００４】
しかし乍ら、この種の包装箱は、缶入り精飲料水等の製造工場における保管時、そして工場から販売店への流通過程、販売店での保管、陳列販売時等において数段或いは数十段に積み重ねられるものであることから、特許文献１記載の把手付包装箱では箱体の両側面、底面及び上面、これらの外表面に沿って露出した状態で外部に存在するバンドが積み重なる箱体同士の特に相手方バンドによって擦れて破損したり、最悪の場合は箱体に接着されずに箱体の上面において仮止め状態で露出存在している把手として利用される両遊端バンド部が擦れて根元などから切れてしまう等の破損が起き易いものとなっていた。加えて、積み重ねられた箱体の外表面自体がバンドによって損傷されることとなり、ケース単位での販売が出来なくなることがある。
【０００５】
また、この種の缶入り精飲料水を収納する箱体の外表面略全面には例えば製造・販売会社各社の夫々の販売促進を図るための商品名（ロゴ）、宣伝等の売り文句や図柄等がカラー印刷された化粧包装体として売り出されているが、特許文献１記載のように、外表面に接着露出している環状バンドが邪魔になり、印刷の障害、妨げになるばかりか、化粧包装体としての外観的意匠性が損なわれてします等、その改善が望まれていた。
【０００６】
また、従来では、上下二段横方向と左右２列縦方向とに亘り夫々紙紐を添設接着せしめて、縦方向２列の紙紐の一体に連設する上方延長部分を把手と成し、持ち運び易いように構成された把手付包装箱が知られている（特許文献２）。
この特許文献２に記載されている包装箱もやはり前述したように、紐自体は箱体の外表面において接着されて存在しているものであることから、積み重ねられた保管時等における擦れ等によって破損する恐れがある等の特許文献１と同様の問題を有している。
【特許文献１】特開２００２−２９３３６９号
【特許文献２】特開平４−２１５９７１号
【考案の開示】
【考案が解決しようとする課題】
【０００７】
本考案が解決しようとする課題は、箱体の外観的な意匠性を全く損なうことなく、流通過程や陳列販売時等においては在来箱体と全く変わらない化粧包装体と成し、お客が持ち帰るに際しては箱体を内側から補強すると同時に外部に引き出すことで把手として利用することができる内巻き環状紐体を備えた把手付包装箱を提供することにある。
【課題を解決するための手段】
【０００８】
上記課題を解決するために本考案は、請求項１では、外表面に印刷が施された一枚のブランクシートを少なくとも所要に沿って折り曲げることによって、数十本の缶入り清涼飲料水等の被包装物が収納包装される大きさの略直方体形状に組み立てられる箱体と、
この箱体内の折り曲げ連設する内表面に適宜の間隔をおいて平行に沿うように内巻きに固着されると共に、固着されずに外部に引き出し自在に内在する２ヵ所の遊端部分を外部に引き出すことにより一対の把手として利用される環状紐体とで構成され、
上記ブランクシートは、少なくとも適宜の大きさにて並列状に連設されて折り曲げ組み立てられた状態において互いに夫々相対せしめて箱体の角形胴部を形成する第１〜第４の側板と、
第１及び第２の側板の上下短辺縁に連設されて夫々内方に折り曲げられる外フラップと、第３及び第４の側板の上下短辺縁に連設されて夫々内方に折り曲げられる内フラップとを有し、
更に、前記第４の側板の中央部位には環状紐体の一対の把手として利用される２ヶ所の遊端部分を外部に引き出すための適宜大きさの開口部を破断開口可能に形成する切込みと破断線とを設けてなり、
上記環状紐体は、ブランクシートの第３の側板、この第３の側板の両側長辺縁に折線を介して連設する第１及び第２の側板、そしてこの第１及び第２の側板の夫々の一側長辺縁に折線を介して連設する第４の側板及びこの第４の側板の一側長辺縁に沿って固着される接着フラップ又はこの接着フラップに代えて前記第１又は第２の側板の一側長辺縁に折線を介して連設されて第４の側板とによって二層壁構造と成すように内方に折り曲げられる第５の側板、これらの内表面に沿って平行に固着添設される平行な固着紐部と、上記箱体の四角胴部における前記第４の側板の略中央部位において同内表面側に外部引き出し可能に内在収容される２ヶ所の遊端紐部とから所要の長さを有する環状に形成されていることを特徴とする把手付包装箱にある。
【０００９】
上記ブランクシートを段ボール紙その他の厚紙等から打抜き裁断することが好適なものとなる。一方環状紐体は、紙製の蝋引き網紐又は蝋引き帯紐等から所要の長さを有する一本の環状（リング状）に形成して、一対の把手として利用される２ヶ所の遊端紐部を残して両固着紐部を、ブランクシートの第１〜第４の各側板、そして接着フラップ又はこの接着フラップに代わる第５の側板、これらの内表面に沿って接着剤又は紙製接着テープ等によって固着添設するようにすることが好適なものとなる。
この様に、箱体を折り上げるブランクシートは段ボール紙その他の厚紙等から形成されており、箱体の内表面に沿って固着配される環状紐体は紙製の蝋引き網紐又は蝋引き帯紐等から形成されていることで、お客が箱体を自宅等まで持ち運んだ後に、箱体が不要になった場合等には箱体と環状紐体とを分別することなく処分することができる。
【００１０】
そして、本考案では、上記第５の側板が、折り上げ組み立てられた状態において第４の側板の内側面に位置して重合固着される内側板と成し、且つ同第４の側板に破断可能に形成されている開口部に位置する中央部位に窓を開口して、環状紐体の２ヶ所の遊端紐部を仮止め状態で内在収容させて置くための収容窪みが第４の側板との重合によって同内側面側に確保形成されるようにすることが好適なものとなる（請求項２）。
【考案の効果】
【００１１】
本考案の把手付包装箱は叙上の如く構成してなることから下記の作用効果を奏する。
請求項１に記載の構成によれば、一枚のブランクシートから折り上げた箱体内に缶入りの精飲料水等の被包装物を収納せしめた包装形態において、箱体の外表面には同表面に印刷されている例えば製造・販売会社各社の夫々の販売促進を図るための商品名（ロゴ）、宣伝等の売り文句や図柄等の表示が見難くなる等の妨げとなることが一切無く、外表面全面に印刷が施されている在来箱体と全く変わらぬ化粧包装体としての外観的意匠性を保ち数段に積み重ねた状態で流通や陳列販売することができる。
そして、お客がケース単位で買い求めた場合には第４の側板に設けた切込み及び破断線に沿って同側板の一部を引き起こし切り裂いて開口部を開口することによって、内部に内在納められている環状紐体の２ヶ所の遊端紐部を外部に引き出すことができる。
これにより、引き出した遊端紐部を把手としてお客は箱体を持ち運ぶことができる。また、箱体の内周面に沿って平行に固着配されている環状紐体の２本の固着紐部が被包装物に対する箱体の耐荷重強度を増強せしめることができる。つまり、被包装物の荷重を環状紐体で受ける構造としていることで、持ち運び途中において箱体が破損する等の恐れがない。しかも、把手を箱体の四角胴部を形成する第４の側板において引き出し使用し得るようにしていることで、箱体を横にした持ち運び形態、つまり、アタッシュケース等の略横長矩形状を呈するカバン等を持つような形態で箱体を持ち運びことができる。
また、把手として利用される環状紐体の遊端紐部が内在納められている箱体の角形胴部の一側壁を、第４の側板とこの側板の内表面側において重合固着される第５の側板とによって二重壁構造としてなることで、同側壁部に剛性を付与せしめることができる。これによって、開口部から引き出された環状紐体の遊端紐部を把手として持ち運ぶに際して、開口部を含めた箱体の胴部一側壁が内容物の荷重等によって簡単に破損することはない。
従って、従来の把手付包装箱のように、化粧包装体としての外観的な意匠性が損なわれることがなく、また、把手部分等が流通過程や保管時等における積み重ねによって擦れて破損することもなく、在来箱体と全く変わらない外観を有する化粧包装体として活用することができる実用的効果と利便性をより一層向上させた把手付包装箱を提供することができる。
【００１２】
また、請求項２に記載の構成によれば、請求項１の効果に加えて、開口部を開口する切込み及び破断線が施されている箱体の第４の側板の内表面側に重合固着される第５の側板に窓を開口して、環状紐体の２ヶ所の遊端紐部を仮止め状態で内在収容させて置くための収容窪みが、破断可能な開口部の開口内面側に確保形成されるようにしていることで、遊端紐部が被包装物の収容に邪魔になることもなく、開口部を破断開口することで遊端紐部を簡単に外部に引き出して把手とすることができる。
【考案を実施するための最良の形態】
【００１３】
本考案の最良の実施形態を図１〜図４に基づいて説明する。
【実施例１】
【００１４】
図１は、本考案の把手付包装箱を折り上げ組み立てる実施形態の一例を示すブランクシートａの展開図である。
このブランクシートａは、一枚の段ボール紙から打抜き裁断されるものであり、箱体Ａの四角胴部A-1を折り曲げ形成する第１〜第４の側板１〜４と、第１及び第２の側板１，２の上下縁に夫々内方に折り曲げられるように連設される外フラップ５，６、第３及び第４の側板３，４の上下縁に夫々内方に折り曲げられるように連設される内フラップ７，８と、第１の側板１の長辺一側縁から内方に折り曲げられて第４の側板４に重合固着される第５の側板14とを有し、要所の折線10〜13、18〜21に沿って順次に折り曲げ組み立てることによって、四角胴部A-1、そして胴部A-1の両端部A-2，A-3が封鎖された略直方体形状の箱体Ａが折り上げ構成されるようにしている。
【００１５】
そして、この様にして折り上げられる箱体Ａ内の折り曲げ連設する内表面に適宜の間隔をおいて平行に沿うように環状紐体Ｂが内巻きによって固着添設され、この環状紐体Ｂの固着されずに外部に引き出し可能に内在する２ヵ所の遊端部分を外部に引き出すことにより一対の把手ｂとして利用されるようにしている。
【００１６】
因みに、本例の箱体Ａは、数十本の缶入り精飲料水等の被包装物Ｗ、例えば350ml入りの缶ビール等を24本入りで収納包装することができる大きさの略直方体形状に一枚のブランクシートａによって折り上げ組み立てられるものである。
【００１７】
第１〜第４の側板１〜４は、折り曲げ組み立てられた状態において互いに夫々相対せしめて箱体Ａの四角胴部A-1を形成するものである。
【００１８】
第１及び第２の側板１，２は、その両側長辺縁長さ寸法を缶ビール等の１本の大きさ（外径）の６倍程度に相当する長さで、上下の短辺縁長さ寸法を４倍の相当する長さを有する縦長矩形形状に形成され、長辺縁長さ寸法が同じ第３の側板の同長辺縁に折線10，11を介して折り曲げ可能に連設されており、一方、第３及び第４の側板３，４は、その上下短辺縁長さを缶ビールの長さ（筒方向の長さ）程度に相当する長さとする縦長長方形状に形成され、第３の側板３は、第１の側板１と第２の側板２とを折線10，11を介して連設するように形成される。
【００１９】
第４の側板４は、第１及び第２の側板１，２の何れか一方、図示例では第２の側板２の長辺他側縁に折線13を介して連設するように形成されて、折り曲げ組み立てられた時に第１の側板１の一側長辺縁に折線12を介して連設される第５の側板14の外表面に糊付け等により固着重合されることによって、第５の側板14とによって二層壁構造を成すようにしている。
【００２０】
外フラップ５，６は、内側に折り曲げられた時に解放端縁同士を互いに付き合わせるように第１及び第２の側板の上下短辺縁に折線18，19を介して夫々連設されて内方に折り曲げられるようにしている。
内フラップ７，８は、外フラップ５，６の内表面側において同フラップ５，６を夫々の糊付け固着し得る程度の大きさにて第３及び第４の側板の上下短辺縁に折線20，21を介して夫々連設されている。
【００２１】
そして、本例では第４の側板４の中央部位に、環状紐体Ｂの後述する遊端紐部B-2を外部に引き出すための開口部９を破断開口可能に形成する切込み9-1と破断線9-2とを備えている。
【００２２】
開口部９は、お客がケース単位で買い求めて持ち帰るに際して、片手で箱体Ａを持ち運ぶことができるように一対の把手ｂとして利用される環状紐体Ｂの遊端紐部B-2を外部に引き出すためのもので、図示例のように平面視略Ｈ形に入れられる切込み9-1とこの切込み9-1に連続して平行に入れられる破断線9-1とによって第４の側板４に、同側板４の長手方向横長状に破断開口可能に設けられる。
【００２３】
第５の側板14は、第４の側板４の内側面側に重合固着される内側板であり、第４の側板４とによって箱体Ａの角形筒部A-1における環状紐体Ｂの遊端紐部B-2が引き出される側面部を二層壁構造に形成せしめて、第４の側板４に破断開口される開口部９を含めた同側面部の耐破壊強度等の増強を図る役目を成す。
そして、この第５の側板14には製造工場等からの流通過程や保管、そして陳列等時において箱体Ａ内に内在させて置く２ヶ所の遊端紐部B-2が缶ビール等の被包装物Ｗの邪魔にならないように収容して置く収容窪み16を第４の側板４とによって確保形成するための窓17が開口されている。
【００２４】
窓17は、第４の側板４の開口部９内側に位置する第５の側板５の略中央部位において環状紐体Ｂの２ヶ所の遊端紐部B-2を内在収容し得る程度の大きさを有する横長状に開口され、第４の側板４の内表面に第５の側板14が固着重合されることで、収納窪み16が第４の側板４とによって確保形成されるようにしている。
【００２５】
環状紐体Ｂは、箱体Ａの耐荷重強度を内側から増強付与する一方で、お客が箱体Ａを持ち帰るに際して、固着されずに残る２ヶ所の遊端紐部B-2を外部に引き出すことによって一対の把手ｂとして利用されるものであり、紙製の蝋引き網紐又は蝋引き帯紐等を用いて図示例のように、ブランクシートａの第３の側板３、第１及び第２の側板１，２、そして第４の側板４及び第５の側板14、これらの内表面に沿って平行に固着添設される平行な固着紐部B-1と、この両固着紐部Ｂ-1とによって一本化された環状と成すように連なる２ヶ所の遊端紐部B-2とから所要の長さを有する一本化された環状に形成されて、２ヶ所の遊端紐部B-2が前記第４の側板４の開口部９から外部引き出し可能な状態で第５の側板14の窓17縁等に仮止めされた状態で収容窪み16に内在収容されるようにしている。
【００２６】
次に、環状紐体Ｂのブランクシートａの内表面側への添設について簡単に説明する。
図１に例示した展開図のように、ブランクシートａの第３の側板３、連設する両側の第１及び第２の側板１，２、そして第４の側板４と第５の側板14、これらの内表面に沿わせて環状紐体Ｂの固着紐部B-1を各側板１〜４、14の長手方向に適宜の間隔をおいて平行に配して接着材や紙製接着テープ22等によって固着添設する。
【００２７】
そして、第４の側板４側と第５の側板14側とにおいて夫々固着されずに残る２ヶ所の遊端紐部B-2を、図示のように蛇行させた状態にまとめ、同蛇行状態を維持するように紐部B-2同士を接着剤その他の適宜の仮止め手段（図示省略）を用いて仮止めする。
【００２８】
また、必要に応じて第４の側板４においては開口部９の破断開口部位に位置させた同内表面に一方の遊端紐部B-2側を仮止め保持させ、第５の側板14側においては窓17の開口縁等に同窓17内に収めた状態でもう一方の遊端紐部B-2を仮止め保持させることによって、遊端紐部B-2がバラケ無いようにする。これによって、箱体Ａの折り上げ組み立て時において遊端紐部B-2が邪魔になることなくスムーズな折り上げを可能とすると共に、最初に折り曲げられる第５の側板14の外表面に第４の側板４の重合固着された際に、該側板４側の遊端紐部B-2をも収容窪み16内に内在収容されるようにすることが好適なものとなる。
【００２９】
而して、以上の如く構成された本例の把手付包装箱によれば、流通過程、販売店等での保管、そして陳列販売時等において数段或いは数十段に積み重ねられる時には図６の（ａ）に示したように、一対の把手ｂとして利用される２ヶ所の遊端紐部B-2は箱体Ａ内に内在収容された状態であり、同遊端紐部B-2を２ヶ所に有する環状紐体Ｂをも内巻きによって箱体Ａの内表面に沿って固着添設されていることで、積み重ね保管等における擦れ等による破損や外表面全体がカラー印刷された化粧包装体として外観的な意匠性等において何等問題なく在来箱体と全く変わらぬ形態で活用することができる。
【００３０】
そして、お客がケース単位で買い求めた場合には図６の（ｂ）に示したように、箱体Ａの角形筒部A-1の第４の側板４に施されている切込み9-1に指先を差し込み、破断線9-1に沿って同側板４の中央部分を引き起こして開口部９を開口し、同開口部９から仮止め状態で内在収容されている２ヶ所の遊端紐部B-2を外部に引き出すことで、図２、図３及び図６の（ｃ）に示したように、遊端紐部B-2を一対の把手ｂとしてお客は箱体Ａを横にした持ち運び形態、つまり、アタッシュケース等の略横長矩形状を呈するカバン等を持つような形態で箱体Ａを持ち運ぶことができる。
【実施例２】
【００３１】
図７は、本考案の把手付包装箱を折り上げ組み立てるブランクシートa-1の他の実施形態を示す展開図である。
【００３２】
斯かる実施例２においては図示のように、実施例１詳述のブランクシートａの第１の側板１に折線12を介して内方へ折り曲げ可能に連設させる第５の側板14に代えて、第４の側板４の一側長辺縁に沿って糊付け等によって固着連結するための接着フラップ15を内方へ折り曲げ可能に連設させている。
尚、斯かる実施例２は第５の側板14に代えて接着フラップ15を第１の側板１に連設備えた以外の構成部分において実施例１詳述と基本的に変わりがないことから同じ構成部分に同じ符号を用いることで重複説明は省略する。
【００３３】
接着フラップ15は、周知のようにブランクシートa-1から箱体Ａが折り上げ組み立てられる際に第４の側板４の一側長辺縁に沿って糊付けによって固着連結されるように第１の側板１に一側長辺縁に折線12を介して連設備えられるものであり、この接着フラップ15側における環状紐体Ｂの遊端紐部B-2は、フラップ15に簡単に破断し得る透明なフィルム等（図示省略）を取り付けて、このフィルム等に仮止めすることによって、自由に遊ばないように保形支持させることで、箱体Ａの折り上げ組み立て時において邪魔になることなくスムーズな折り上げを可能とすると共に、接着フラップ15が第４の側板４の一側辺縁に対して糊付け連結された際には該側板４側の遊端紐部B-2と同様に開口部９の破断開口位置における内表面側に内在収められるようにする。
【００３４】
尚、本考案の具体的な実施例にあっては、前述の実施例１及び２詳述の構成に限定されるものではなく、請求項１〜２記載の要旨を免脱しない範囲で種々変更して行うことができるものである。
【図面の簡単な説明】
【００３５】
【図１】本考案の把手付包装箱を折り曲げ組み立てるブランクシートの実施形態の一例を示す展開図
【図２】同展開図から折り上げ組み立てた箱体の斜視図で、把手として利用される環状紐体の遊端紐部を外部に引き出した状態を示す
【図３】図２のIII−III線縦断面図
【図４】要部を拡大して示す平面図
【図５】図４のＶ−Ｖ線要部の縦断面図
【図６】本考案の把手付包装箱の使用例を示し、（ａ）は把手として利用される環状紐体の遊端紐部が箱体内に内在納められている状態の要部斜視図、（ｂ）は切込みと破断線によって開口部を開口せしめた状態の同斜視図、（ｃ）は開口部から引き出した２ヶ所の遊端紐部を一対の把手として利用し、箱体を持ち運んでいる状態の一部を破断した正面図
【図７】本考案の把手付包装箱を折り曲げ組み立てるブランクシートの他の実施形態を示す展開図
【符号の説明】
【００３６】
Ａ：箱体              ａ,a-1：ブランクシート
１〜４：第１〜第４の側板   ５,６：外フラップ
７,８：内フラップ            ９：開口部
9-1：切込み               9-2：破断線
14：第５の側板            15：接着フラップ
16：収容窪み              17：窓
Ｂ：環状紐体             B-1：固着紐部
B-2：遊端紐部              ｂ：把手
【図１】
0003109525.tif 000003
【図２】
0003109525.tif 000004
【図３】
0003109525.tif 000005
【図４】
0003109525.tif 000006
【図５】
0003109525.tif 000007
【図６】
0003109525.tif 000008
【図７】
0003109525.tif 000009